(57)【要約】      （修正有）【課題】測定試料の成分の違い、屈折率、泡などの影響を受けず、個人誤差を含まずに目視判定と同じ結果がえられる液体の着色度測定器を提供する。【解決手段】光源２として一つのパッケージに封印されたＲＧＢ三色ＬＥＤを用い、該三色ＬＥＤをマイクロコンピューター１で制御して赤、緑、青、それぞれ単独、且つ順繰りに発光させて、同ＬＥＤの発光色に同期してフォトセンサー６の検出値を同マイクロコンピューターに入力し、ＬＥＤの発光色毎の検出値を区別して分類し、これら色別の検出値から色の三刺激値Ｘ、Ｙ、Ｚ、を計算して、その値から被測定液体の色数を算出する。【選択図】図１
2013134246.tif 000002
【特許請求の範囲】
【請求項１】
光源からの光を被測定液体が入った試料セルを通過させフォトセンサーで検出するように構成した液体の着色度測定器において、光源として一つのパッケージに封印されたＲＧＢ三色ＬＥＤを用い、該三色ＬＥＤをマイクロコンピューターで制御して赤、緑、青、それぞれ単独、且つ順繰りに発光させて、同ＬＥＤの発光色に同期してフォトセンサーの検出値を同マイクロコンピューターに入力し、ＬＥＤの発光色毎の検出値を区別して分類し、これら色別の検出値から色の三刺激値Ｘ、Ｙ、Ｚ、を計算して、その値から被測定液体の色数を算出することを特徴とした液体の着色度測定器。
【発明の詳細な説明】
【技術分野】
【０００１】液体あるいは加熱して液状になる化学製品の着色度測定器に関し、さらに詳しくはハーゼン単位色数測定器に関する。
【背景技術】
【０００２】溶剤、石油類、可塑剤、化学品の原料など、液体あるいは加熱して液状になる化学製品の品質管理の一つとして色試験を行い、着色度を表示することが行われている。
色試験の方法はＪＩＳ  Ｋ  ００７１等で複数規定されていて、その規格のなかで代表的なものとして、ハーゼン単位色数（非特許文献１参照）、ガードナー色数がある。
ハーゼン単位色数のハーゼン色数標準液は黄色味を帯びた比較的薄い色で、ガードナー色数のガードナー色数標準液は比較的濃い色であり、それぞれそれらの色合いを有する化学製品を対象にしている。【０００３】ハーゼン単位色数はＪＩＳ（非特許文献１参照）で規定していて、同ＪＩＳ規格  「化学製品の色試験方法、ハーゼン単位色数」では、規定した方法で作製したハーゼン標準液を、底の平らなガラス管や試験管に入れて標準液比色管としている。
色試験はハーゼン色数の異なった標準液比色管を複数の用意して、試料がどの標準液に近いか、肉眼で比較し試料のハーゼン色数を判定することを主としている。
しかし肉眼判定は個人誤差を生ずる惧れがあり、信頼性に問題があった。【０００４】そこで測定機器による色試験方法も行われるようになっている。
ガードナー色数の色試験は標準色ガラス等もあり、機器測定化が進んでいる。
一方、ハーゼン単位色数の色試験は光電光度計や分光光度計、色彩計を用いて行う方法も提案されているが、着色度が少ないため、必要とされる精度で測定することが困難であったり、精度は十分でも測定方法が繁雑で実用に耐えないのが現状であった。【０００５】光電光度計を用いた場合、特定の光の波長で測定することになるが、測定試料の成分は様ようで、肉眼でハーゼン標準液と同じ色のように見えても、分光曲線は同じとはならず、測定値と目視判定が異なる場合がある。
また、液体の光の透過率（吸光度）を測定するので、試料の屈折率の違いによる透過率の増減や、試料内部の泡などによる透過率の乱れが影響して誤差が発生し、必要とされる精度でハーゼン単位色数を測定することは困難であった。【０００６】また分光光度計を用いて、予めハーゼン標準液の分光スペクトルを測定して、その吸光度とハーゼン色数の相関関係を求めておいて、試料のハーゼン色数の測定を行うことも提案されているが（例えば、特許文献１参照）、この場合も前述の光電光度計を用いた場合と同様に、測定試料の成分の違いにより測定値と目視判定が異なったり、屈折率、泡などの影響で測定誤差を生ずることは免れない。【０００７】ハーゼン単位色数の色試験は、色を測定することが基本的なことといえる。
そこで色彩計（色差計）を用いたハーゼン単位色数の測定方法（例えば、特許文献２、３参照）も提案されている。
色彩計は被測定試料からの光を三刺激値Ｘ、Ｙ、Ｚ（非特許文献２、３参照）としてマイクロコンピューターなどに入力して、その値から被測定試料の色を数値化している。【０００８】その光学系は種々実施されているが、透過型色彩計では一様に、光源→被測定試料→受光部の系統で光が通過するようになっていて、光源としてタングステン電球やキセノンランプによる白色光源を用い、受光部は複数の受光素子で構成し、受光素子の取付け、配置方法など種々な方法があるが、なかでも積分球型、並列型（特許文献４参照）などが代表的といえる。いずれの方法でも受光素子の前面には三刺激値Ｘ、Ｙ、Ｚに対応するフィルターを設置するのが一般的である。【０００９】図４は、従来の色彩計を用いた液体の着色度測定の一例で、その光学系の構成例を示したブロック図である。この例においてもフォトセンサー６ａ、６ｂ、６ｃの前面に三刺激値Ｘ、Ｙ、Ｚに対応する光学フィルター８ａ、８ｂ、９ｃを設置し、それぞれ異なる波長の光に最大感度を持つようにしたフォトセンサー６ａ、６ｂ、６ｃの検出値をマイクロコンピューターに入力して計算し、色を数値化している。
【先行技術文献】
【特許文献】
【００１０】
【特許文献１】特開２０００−１８０２６２号公報
【特許文献２】特開平０６−３４７３２８号公報
【特許文献３】特開平０５−２９６８３８号公報
【特許文献４】特開２００２−３１０８００号公報
【非特許文献】
【００１１】
【非特許文献１】ＪＩＳ  Ｋ  ００７１−１
【非特許文献２】ＪＩＳ  Ｚ  ８７０１
【非特許文献３】ＪＩＳ  Ｚ  ８７２２
【発明の概要】
【発明が解決しようとする課題】
【００１２】光電光度計や分光光度計を用いてハーゼン単位色数測定を行った場合は、測定試料の成分の違い、屈折率、泡などの影響を受けて正確な測定が出来ないという問題があった。
ハーゼン単位色数測定の本質は着色度、すなわち色を計測するので、色彩計（色差計）が適当と考えられる。しかし色彩計（色差計）は色を数値化することはできるが、ハーゼン単位色数として表示はできないので、色の数値からハーゼン単位色数に換算する必要があり、換算が煩雑で結果を出すまでに時間がかかる不都合がある。
また、光学系も複数の受光素子と光学フィルターを必要とし、その光路も単純ではない。
ハーゼン単位色数測定に多用される底の平らなガラス管や試験管は液体の入った円筒状なのでレンズ効果があり、三刺激値Ｘ、Ｙ、Ｚ毎の光軸を安定に保つことは困難で、ガラス管や試験管測定用には向かない光学系で構成されているので、ハーゼン色数測定用に簡単に転用することができない不都合があった。
本発明はこのような不都合、問題点を解決する液体の着色度測定器を提供することにある。
【課題を解決するための手段】
【００１３】本発明の液体の着色度測定器は、光源からの光を被測定液体が入った試料セルを通過させフォトセンサーで検出するように構成した液体の着色度測定器において、光源として一つのパッケージに封印されたＲＧＢ三色ＬＥＤを用い、該三色ＬＥＤをマイクロコンピューターで制御して赤、緑、青、それぞれ単独、且つ順繰りに発光させて、同ＬＥＤの発光色に同期してフォトセンサーの検出値を同マイクロコンピューターに入力し、ＬＥＤの発光色毎の検出値を区別して分類し、これら色別の検出値から色の三刺激値Ｘ、Ｙ、Ｚ、を計算して、その値から被測定液体の色数を算出することを特徴としている。
【発明の効果】
【００１４】以上説明の通り、本発明による液体の着色度測定器は、光源として一つのパッケージに封印されたＲＧＢ三色ＬＥＤと一個のフォトセンサーで構成しているので、一定の光路が確保され、ガラス管や試験管に入れた試料も安定して測定できる。
測定は色の三刺激値Ｘ、Ｙ、Ｚ、からｘｙ色度図の座標を計算し、ハーゼン色数を計算するので多少の色調の違いがあっても肉眼判定から外れることが無く、肉眼測定と同等な測定結果が得られ、なおかつ肉眼判定ではないので、個人差のない客観的なハーゼン色数の測定ができる。
さらに測定原理が光の透過率（吸光度）を測定するのでないから、被測定試料の成分、屈折率の違い、試料内部の泡などの影響を受けずに、精度よく測定できるので、着色度が少ない試料も精度よく測定できる。
また、光学フィルターが不要であり、可動部分もなく、光学部の単純化が図れるなどの効果がある。
【図面の簡単な説明】
【００１５】
【図１】本発明の実施に係わる液体の着色度測定器の構成を示したブロック図である。
【図２】色を座標で表すｘｙ色度図にｚ軸も書き入れた座標図である。
【図３】ｘｙ色度図におけるハーゼン色数のおよその座標も書き入れた座標図である。
【図４】従来の色彩計を用いた液体の着色度測定の一例で、その光学系の構成例を示したブロック図である。
【発明を実施するための形態】
【実施例】
【００１６】図１は、本発明の実施に係わる液体の着色度測定器の構成を示したブロック図で、試験管などの円筒型ガラスセルに被測定試料を入れて測定できるようにしている。
本発明の実施は色彩計と同様の三刺激値Ｘ、Ｙ、Ｚを、ＲＧＢ三色ＬＥＤとフォトセンサーを用いて測定し、色の濃度を算出して、ハーゼン色数値を判定するようにした。【００１７】図１に基づき本発明の液体の着色度測定器を詳しく説明する。
本発明、液体の着色度測定器の光学系は、光源のランプ２として一つのパッケージに封印されたＲＧＢ三色ＬＥＤを用い、このランプ２の光を受光する一個のフォトセンサー６で構成している。ランプ２とフォトセンサー６は直線状に配置した単純な光路で、その中間に試料セル５がセットされる。測定に供する三色の光、Ｒ（赤）、Ｇ（緑）、Ｂ（青）は、一つのパッケージに封印されているので、三色ともに同一の光路が確保され、中間にガラス管や試験管に入れた試料をセットしても、三色の光は同一の光路を通過するので安定した測定ができる【００１８】計測部のマイクロコンピューター１は、ランプ２を制御するランプコントロール部１ｂ、フォトセンサー６からの信号を入力するセンサー入力部１ａ、表示器７に表示信号を与える表示出力部１ｃ、これらを制御、処理して入力信号からハーゼン色数を計算する計算部１ｄから成り立っている。【００１９】ランプ２は一つのパッケージに封印されたＲＧＢ三色ＬＥＤを用い、マイクロコンピューター１のランプコントロール部１ｂによって赤、緑、青と、単独、且つ順繰りに発光させている。このランプ２の光は、セルＢＯＸ４にセットされた試料セル５中の液体の被測定試料を通過しフォトセンサー６で受光する。【００２０】フォトセンサー６は分光感度か可視光にある素子を使用する。ＲＧＢ三色ＬＥＤ光源の分光光度とフォトセンサーの分光感度を合わせた統合感度は、等色関数に合うように組み合わせることが好ましいが、本発明着色度測定器は、色相の数値化に正確さを要求される色彩計とは異なるので、比較的、厳密さは要求しない。ＲＧＢ三色ＬＥＤの分光光度と、視感度に近い分光感度のフォトセンサーを組合わせることで、実用上差し障りの無い、近似的な三刺激値Ｘ、Ｙ、Ｚの分光特性が得られる。
このようなことからフォトセンサー６として、信号のダイナミックレンジの広さ、安定性を考慮して、シリコンフォトダイオードを使用するのが好ましい。【００２１】図１に示す本発明の実施に係わるブロック図では、ランプ２の光は拡散板３を通して試料セル５にあてるようにしている。前述したように本発明の光路は三色の光とも同一の光路が確保されていて安定であるが、ランプ２の光を、拡散板３を通すことにより、ランプ２の光は面発光状になり、光は平均化されて試料セル５を通過するのでさらに安定し、試料セル５に多少の前後左右位置の偏り、多少の傾きが生じても光路の乱れは少なく、試験管などの円筒型ガラスセルでも安定した測定が出来る。【００２２】フォセンサー６の検出値はセンサー入力部１ａに、ＲＧＢ三色ＬＥＤの発光色に同期してマイクロコンピューターに入力され、発光色毎に検出値を区別し分類する。分類したこれら色別の検出値から、赤をＸ、緑をＹ、青をＺとすることで、色の三刺激値Ｘ、Ｙ、Ｚ、として処理することが出来る。【００２３】色を表す方法の一つに、横軸ｘ、縦軸ｙの座標空間で表したＣＩＥ（国際照明委員会）色度図があり、これをｘｙ色度図といい、標準表色系として多く用いられている。
ｘ、ｙは３刺激値ＸＹＺをもとに、
ｘ＝Ｘ／（Ｘ＋Ｙ＋Ｚ）、ｙ＝Ｙ／（Ｘ＋Ｙ＋Ｚ）
として算出し、ｘｙ色度図に表わしている。【００２４】また、
ｚ＝Ｚ／（Ｘ＋Ｙ＋Ｚ）
であり、上式と、前述式から、
ｘ＋ｙ＋ｚ＝１
の関係が成り立つ。
ｘｙ色度図は通常、ｚ軸は描かないが、図２のように、色を座標で表すｘｙ色度図にｚ軸も書き入れることもできる。
ｘｙ色度図上で、ｘ＝ｙ＝ｚ＝０．３３３…、の点が理論的な白色点（無色）であり、この点がほぼ、ハーゼン０となる。【００２５】ハーゼン標準液の色は、ｘｙ色度図上で白色点から、およそｘ＝ｙ＝０．５の点をむすぶ線上のｚ軸上に、ほぼ位置する。
図３はｘｙ色度図におけるハーゼン色数のおよその座標も書き入れた座標図で、ハーゼン標準液で１００、５００など、前述のｚ軸上にプロットすることができる。【００２６】実際の測定は、ハーゼン色数０の標準液（精製水）とスパン用のハーゼン標準液（ハーゼン１０〜１０００の任意）を用いて、スケーリング測定を行い、検出値から計算したｚ軸座標値をスケーリング定数としてマイクロコンピューターにメモリーする。
このスケーリング定数は前述のｚ軸上に位置し、例えばハーゼン色数０の標準液のｚ軸座標値をｚ（０）、スパン用としてハーゼン色数１００の標準液で測定した場合のｚ軸座標値をｚ（１００）などとしてメモリーされる。
被測定試料の液体も同様に測定、計算したｚ軸上の位置ｚ（？）が得られる。【００２７】これらの計算処理は、フォトセンサー６の入力信号から三刺激値Ｘ、Ｙ、Ｚ、を取得し、ｚ＝Ｚ／（Ｘ＋Ｙ＋Ｚ）式からｚ軸上の位置ｚ（）を算出する。
被測定試料のハーゼン色数の値は、ｚ（？）の値を、先にメモリーしたスケーリング定数、ｚ（０）、ｚ（１００）を使用して比例計算し算出する。
算出したハーゼン色数は表示出力部１ｃを介して表示器７で表示するようにしているので、スケーリング測定を行った後の、被測定試料の測定は、被測定液体の入った試料セル５をセルＢＯＸ４にセットするだけで、直ちに計算されハーゼン色数が表示され直読できる。【００２８】計算部１ｄはマイクロコンピューター１に組み込まれたソフトウエアで、ランプ２の制御、入力したフォトセンサー６の信号の処理、ハーゼン色数の計算、表示処理など、以上説明した動作、処理を行っている。【００２９】尚、ハーゼン色数標準液は、ＪＩＳ規格で規定した方法で作製したハーゼン色数５００、あるいは１０００の原液を、精製水で希釈して作る。例えばハーゼン色数１０００の原液の割合を１％として希釈したならハーゼン色数１０の標準液となり、原液の割合が１０％ならハーゼン色数１００の標準液となる。【００３０】溶液を通過する光の吸光度は濃度の対数に比例するので、前述のスケーリング定数からの比例計算も同様に対数で行う。以上のように構成、処理した計算結果とハーゼン標準液の関係は正確であり、多数の標準液を測定して検量線を作成して、被測定試料と比較する操作や、測定値の誤差を少なくするため、予め算定しておいた補正値で補正する、などの処理も必要としない。
従って、本発明の着色度測定器は、被測定試料である液体、あるいは加熱して液状になる化学製品に対して、多少の色調の違いがあったり、成分、屈折率の違い、試料内部の泡などの影響を受けずに着色度測定が可能で、正確な色試験を行うことができる。【００３１】以上、主としてハーゼン単位色数測定について説明をした。ハーゼン色数の測定はハーゼン標準液の色と試料の色を比較して、被測定試料の着色度を特定している通り、本発明の液体の着色度測定器は比色測定器ということもできる。
従って本発明はガードナー色数など、ほかの色数測定にも応用できる。
【符号の説明】
【００３２】１
１ａ  センサー入力部
１ｂ  ランプコントロール部
１ｃ  表示出力部
１ｄ  計算部
２    ランプ
３    拡散板
４    セルＢＯＸ
５    試料セル
６、６ａ、６ｂ、６ｃ  フォトセンサー
７    表示器
８ａ、８ｂ、９ｃ  光学フィルター
【図１】
2013134246.tif 000003
【図２】
2013134246.tif 000004
【図３】
2013134246.tif 000005
【図４】
2013134246.tif 000006